(57)【特許請求の範囲】
【請求項１】
物品仕分けシステムによって、中央に位置し、第１の取込エリアおよび第２の取込エリアを含む取込エリアと、前記取込エリアを囲む、前記取込エリアに近い論理区画とを設定し、論理区画は、前記第１の取込エリアに近い箇所に第１の論理区画を含み、前記第２の取込エリアに近い箇所に第２の論理区画を含み、
前記第１の論理区画は、前記第１の取込エリアからの複数のルートの物品を受け入れるために用いられる第１のドロップエリアを含み、前記第２の論理区画は、前記第２の取込エリアからの複数のルートの物品を受け入れるために用いられる第２のドロップエリアを含む、
ことを特徴とする仕分け領域の設定方法。
【請求項２】
前記第１のドロップエリアおよび前記第２のドロップエリアは、それぞれ全てのルートに関わる物品を受け入れるために用いられる、
ことを特徴とする請求項１に記載の仕分け領域の設定方法。
【請求項３】
該仕分け領域は、前記第１の論理区画および前記第２の論理区画に加え、共通エリアを更に含み、前記共通エリアは、第３のドロップエリアを含み、
前記第１のドロップエリアおよび前記第２のドロップエリアは、それぞれ一部のルートに関わる物品を受け入れるためにのみ用いられ、前記第３のドロップエリアは、残りのルートの物品を受け入れるために用いられる、
ことを特徴とする請求項１に記載の仕分け領域の設定方法。
【請求項４】
前記ドロップエリアの縁部は、仕分け領域の中央側に向かって凹む構造を備える、
ことを特徴とする請求項１から３のいずれか１項に記載の仕分け領域の設定方法。
【請求項５】
前記ドロップエリアの縁部は、鋸歯状構造である、
ことを特徴とする請求項４に記載の仕分け領域の設定方法。
【請求項６】
仕分け領域において物品を仕分けするための物品仕分けシステムであって、
複数の移動運搬装置を備え、前記仕分け領域は、前記仕分け領域の中央に位置し、少なくとも第１の取込エリアおよび第２の取込エリアを含む取込エリアと、前記取込エリアを囲むドロップエリアとを含み、前記仕分け領域は、前記第１の取込エリアに近い箇所に第１の論理区画を含み、前記第２の取込エリアに近い箇所に第２の論理区画を含み、
前記ドロップエリアは、前記第１の論理区画に位置する第１のドロップエリアと、前記第２の論理区画に位置する第２のドロップエリアとを含み、
前記第１の論理区画に位置する移動運搬装置は、前記第１の論理区画のみにおいて移動し、前記第１の取込エリアから物品を取得すると、前記第１の論理区画に沿って前記第１のドロップエリアまで移動し、前記第１のドロップエリアへの物品投入を行い、
前記第２の論理区画に位置する移動運搬装置は、前記第２の論理区画のみにおいて移動し、前記第２の取込エリアから物品を取得すると、前記第２の論理区画に沿って前記第２のドロップエリアまで移動し、前記第２のドロップエリアへの物品投入を行う、
ことを特徴とする物品仕分けシステム。
【請求項７】
前記第１のドロップエリアおよび／または前記第２のドロップエリアは、それぞれ全てのルートに関わる複数の物品仮置き装置を備える、
ことを特徴とする請求項６に記載の物品仕分けシステム。
【請求項８】
前記第１のドロップエリアおよび／または前記第２のドロップエリアは、それぞれ一部のルートに関わる複数の物品仮置き装置を備え、
前記仕分け領域は、前記第１の論理区画および前記第２の論理区画に加え、共通エリアを更に含み、前記共通エリアは、残りのルートに関わる複数の物品仮置き装置を備える、
ことを特徴とする請求項６に記載の物品仕分けシステム。
【請求項９】
前記ドロップエリアの縁部は、仕分け領域の中央に向かって凹む構造を備える、
ことを特徴とする請求項６から８のいずれか１項に記載の物品仕分けシステム。
【請求項１０】
前記ドロップエリアの縁部は、鋸歯状構造である、
ことを特徴とする請求項９に記載の物品仕分けシステム。
【請求項１１】
サーバを更に備え、
前記サーバにおいて、前記取込みエリアから前記ドロップエリアに物品を投入する前記移動運搬装置の運動距離である投入距離の短い容器を投入確率の大きいルートにマッピングすることにより、移動運搬装置の総投入距離を最小にするような物品仕分けシステムの経路最適化方法が運算される、
ことを特徴とする請求項６に記載の物品仕分けシステム。
【請求項１２】
前記投入距離の短い容器を投入確率の大きいルートにマッピングすることにより、移動運搬装置の総投入距離を最小にすることは、
仕分け領域において、Ｎ個のルートおよびＮ個の物品仮置き容器が存在し、且つ、ｉ個目の物品仮置き容器に対応する一回の往復投入経路の距離がＳｉであり、ｊ個目のルートの毎回の投入での選択確率がＰｊであり、且つ、
0006780130.tif 000010
であると仮定し、各確率が式１の関係を満たす場合、ルートｊと容器ｉとのマッピング
0006780130.tif 000011
において、式２のように最適化して解くべきであるというような方式で計算される、
ことを特徴とする請求項１１に記載の物品仕分けシステム。
【数５】
0006780130.tif 000012
…（式１）
【数６】
0006780130.tif 000013
…（式２）
【発明の詳細な説明】
【技術分野】
【０００１】
本開示は、物品仕分けの技術分野に関し、特に、物品仕分け方法、仕分け領域のレイアウト、仕分けシステムおよび経路最適化方法に関する。
【背景技術】
【０００２】
小包仕分けロボットシステムは、中国の国情および地理的要因に基づき、中国の労働集約的産業の人件費と精密かつ複雑な自動化装置のコストとのバランスを総合的に考慮して生まれた物流仕分けシステムである。ロボットの即時応答特性および分散型システムの柔軟性を利用することで、小包仕分けロボットシステムは、小包仕分けの総合コストを大幅に低減することができる。
【発明の概要】
【発明が解決しようとする課題】
【０００３】
上記状況に鑑み、本開示は、移動運搬装置の運動経路を短縮し、エネルギー消費を低減することができる物品仕分け方法、仕分け領域のレイアウト、仕分けシステムおよび経路最適化方法を提供する。
【課題を解決するための手段】
【０００４】
本開示は、２０１７年９月３０日に中国専利局に出願された出願番号が２０１７１０９３８１３６．０で、発明名称が「物品仕分け方法、仕分け領域のレイアウト、仕分けシステムおよび経路最適化方法」である発明、および２０１７年９月３０日に中国専利局に出願された出願番号が２０１７１０９２８８４３．１で、発明名称が「物品搬送システムおよび方法」である発明の中国特許出願に対して、優先権の利益を主張するものであり、その全ての内容を引用により本開示に援用する。
【０００５】
本開示の一態様は、仕分け領域を、少なくとも、第１のドロップエリアを含み、第１の取込エリアに近い第１の論理区画と、第２のドロップエリアを含み、第２の取込エリアに近い第２の論理区画とに分けることと、前記第１の論理区画に位置する移動運搬装置は、前記第１の取込エリアから物品を取得すると、前記第１の論理区画において前記第１のドロップエリアまで移動し、前記第１のドロップエリアに物品を投入することと、前記第２の論理区画に位置する移動運搬装置は、前記第２の取込エリアから物品を取得すると、前記第２の論理区画において前記第２のドロップエリアまで移動し、前記第２のドロップエリアに物品を投入することと、を含む物品仕分け方法を提供する。
【０００６】
一実施例において、前記第１のドロップエリアおよび／または前記第２のドロップエリアは、全てのルートに関わる複数の物品仮置き装置を備える。
【０００７】
一実施例において、該方法は、取込エリアを前記仕分け領域の中央に設け、ドロップエリアを前記仕分け領域の周辺に設けることを更に含み、ここで、前記取込エリアは無端搬送ベルトである。
【０００８】
一実施例において、前記第１の論理区画は、前記第１の取込エリアと同じ側に位置する領域であり、且つ、前記第２の論理区画は、前記第２の取込エリアと同じ側に位置する領域である。
【０００９】
一実施例において、前記第１のドロップエリアおよび／または前記第２のドロップエリアは、一部のルートに関わる複数の物品仮置き装置のみを備える。
【００１０】
一実施例において、仕分け領域を、少なくとも、第１の取込エリアに近い第１の論理区画と、第２の取込エリアに近い第２の論理区画とに分けることは、前記第１の論理区画および第２の論理区画に加え、共通エリアを設け、前記共通エリアに、残りのルートに関わる複数の物品仮置き装置を設けることを更に含む。
【００１１】
本開示の別の態様は、中央に位置し、第１の取込エリアおよび第２の取込エリアを含む取込エリアと、周辺に位置するドロップエリアとを含み、仕分け領域は、前記第１の取込エリアに近い箇所に第１の論理区画を含み、前記第２の取込エリアに近い箇所に第２の論理区画を含み、前記ドロップエリアは、前記第１の論理区画内に位置し、複数のルートの物品を受け入れるために用いられる第１のドロップエリアと、前記第２の論理区画内に位置し、複数のルートの物品を受け入れるために用いられる第２のドロップエリアとを含む、仕分け領域のレイアウトを提供する。
【００１２】
一実施例において、前記第１のドロップエリアおよび前記第２のドロップエリアは、それぞれ全てのルートに関わる物品を受け入れるために用いられる。
【００１３】
一実施例において、該仕分け領域は、前記第１の論理区画および前記第２の論理区画に加え、共通エリアを更に含み、前記共通エリアは、第３のドロップエリアを含む。ここで、前記第１のドロップエリアおよび前記第２のドロップエリアは、一部のルートに関わる物品を受け入れるためにのみ用いられ、前記第３のドロップエリアは、残りのルートの物品を受け入れるために用いられる。
【００１４】
一実施例において、前記ドロップエリアの縁部は、仕分け領域の中央側に向かって凹む構造を備える。
【００１５】
一実施例において、前記ドロップエリアの縁部は、鋸歯状構造である。
【００１６】
本開示の更なる態様は、仕分け領域において物品を仕分けするための物品仕分けシステムであって、複数の移動運搬装置を備え、前記仕分け領域は、少なくとも第１の取込エリアおよび第２の取込エリアを含む取込エリアと、ドロップエリアとを含み、前記仕分け領域は、前記第１の取込エリアに近い箇所に第１の論理区画を含み、前記第２の取込エリアに近い箇所に第２の論理区画を含み、前記ドロップエリアは、前記第１の論理区画に位置する第１のドロップエリアと、前記第２の論理区画に位置する第２のドロップエリアとを含み、前記第１の論理区画に位置する移動運搬装置は、前記第１の取込エリアから物品を取得すると、前記第１の論理区画に沿って前記第１のドロップエリアまで移動し、前記第１のドロップエリアへの物品投入を行い、前記第２の論理区画に位置する移動運搬装置は、前記第２の取込エリアから物品を取得すると、前記第２の論理区画に沿って前記第２のドロップエリアまで移動し、前記第２のドロップエリアへの物品投入を行うことを特徴とする物品仕分けシステムを提供する。
【００１７】
一実施例において、前記第１のドロップエリアおよび／または前記第２のドロップエリアは、それぞれ全てのルートに関わる複数の物品仮置き装置を備える。
【００１８】
一実施例において、前記第１のドロップエリアおよび／または前記第２のドロップエリアは、それぞれ一部のルートに関わる複数の物品仮置き装置を備える。
【００１９】
一実施例において、前記仕分け領域は、前記第１の論理区画および前記第２の論理区画に加え、共通エリアを更に含み、前記共通エリアは、残りのルートに関わる複数の物品仮置き装置を備える。
【００２０】
一実施例において、前記取込エリアは、前記仕分け領域に位置する無端搬送ベルトであり、前記ドロップエリアは、前記仕分け領域の周辺に位置する。
【００２１】
一実施例において、前記第１の論理区画は、前記第１の取込エリアと同じ側に位置し、前記第２の論理区画は、前記第２の取込エリアと同じ側に位置する。
【００２２】
一実施例において、前記ドロップエリアの縁部は、仕分け領域の中央に向かって凹んで配列される構造である。
【００２３】
一実施例において、前記ドロップエリアの縁部は、鋸歯状構造の配列である。
【００２４】
本開示の更なる態様は、投入距離の短い容器を投入確率の大きいルートにマッピングすることにより、移動運搬装置の総投入距離を最小にすることを含む、物品仕分けシステムの経路最適化方法を提供する。
【００２５】
一実施例において、投入距離の短い容器を投入確率の大きいルートにマッピングすることにより、移動運搬装置の総投入距離を最小にすることは、以下のように計算される。
仕分け領域において、Ｎ個のルートおよびＮ個の物品仮置き容器が存在し、且つ、ｉ個目の物品仮置き容器に対応する一回の往復投入経路の距離がＳｉであり、ｊ個目のルートの毎回の投入での選択確率がＰｊであり、且つ、
0006780130.tif 000002
であると仮定し、各確率が式１の関係を満たす場合、ルートｊと容器ｉとのマッピング
0006780130.tif 000003
において、式２のように最適化して解くべきである。
【数１】
0006780130.tif 000004
…（式１）
【数２】
0006780130.tif 000005
…（式２）
【００２６】
更なる態様において、本開示の実施例は、
１つまたは複数の仕分け待ちの物品を受け取り可能な受取装置が設けられる移動運搬装置と、
前記移動運搬装置に通信接続され、仕分け待ちの物品を受け入れる受入端を有し、前記受入端によって現在のタスクに対応する移動運搬装置で搬送されてきた仕分け待ちの物品を自動的に受け入れ、受け入れられた前記仕分け待ちの物品を目的地まで輸送する移送装置と、
を備える物品搬送システムを提供する。
【００２７】
本開示の実施例の１つの具体的な実現形態によれば、前記仕分け待ちの物品がルート情報を有し、前記移動運搬装置は、仕分け待ちの物品のルート情報を取得することができる。
【００２８】
本開示の実施例の１つの具体的な実現形態によれば、前記移送装置は、前記仕分け待ちの物品のルート情報にマッチングするＩＤタグを有する。
【００２９】
本開示の実施例の１つの具体的な実現形態によれば、前記移動運搬装置は、現在のタスクにおいて運搬される物品のルート情報を取得し、現在のタスクにおいて運搬される物品のルート情報に基づいて現在のタスクに対応する移送装置を確定する。
【００３０】
本開示の実施例の１つの具体的な実現形態によれば、前記移動運搬装置に、前記受取装置の高さを調節可能な第１の高さ調節装置が設けられる。
【００３１】
本開示の実施例の１つの具体的な実現形態によれば、前記移動運搬装置は、現在のタスクに対応する移送装置の受入端の高さを取得し、前記受取装置を第１の所定高さに上昇させるように前記第１の高さ調節装置を制御し、前記第１の所定高さは、現在のタスクに対応する移送装置の受入端の高さに合致する。
【００３２】
本開示の実施例の１つの具体的な実現形態によれば、前記移送装置は、前記受入端の高さを調節可能な第２の高さ調節装置を有する。
【００３３】
本開示の実施例の１つの具体的な実現形態によれば、前記移送装置は、現在のタスクに対応する移動運搬装置の受取装置の高さを取得し、前記受入端を第２の所定高さに調整するように前記第２の高さ調節装置を制御し、前記第２の所定高さは、現在のタスクに対応する移動運搬装置の受取装置の高さに合致する。
【００３４】
本開示の実施例の１つの具体的な実現形態によれば、前記システムは、
前記移動運搬装置および前記移送装置のうちの少なくとも１つに通信接続されるスケジューリングサーバを更に備えることを特徴とする。
【００３５】
本開示の実施例の１つの具体的な実現形態によれば、前記スケジューリングサーバは、前記移動運搬装置の電力量情報を取得することができ、
前記移動運搬装置の電力残量が所定の条件を満たす場合、前記スケジューリングサーバは、所定の領域に移動して充電するように前記移動運搬装置を制御する。
【００３６】
本開示の実施例の１つの具体的な実現形態によれば、前記移動運搬装置は、組合せパターンを識別することによりナビゲーションを行う。
【００３７】
更なる態様において、本開示の実施例は、
移動運搬装置における受取装置を利用して１つまたは複数の仕分け待ちの物品を受け取ることと、
前記移動運搬装置に通信接続される移送装置の受入端を利用して現在のタスクに対応する移動運搬装置で搬送されてきた仕分け待ちの物品を自動的に受け入れ、受け入れられた前記仕分け待ちの物品を目的地まで輸送することと、を含む、
物品搬送方法を提供する。
【００３８】
本開示の実施例の１つの具体的な実現形態によれば、前記仕分け待ちの物品がルート情報を有し、前記移動運搬装置は、仕分け待ちの物品のルート情報を取得することができる。
【００３９】
本開示の実施例の１つの具体的な実現形態によれば、前記移送装置は、前記仕分け待ちの物品のルート情報にマッチングするＩＤタグを有する。
【００４０】
本開示の実施例の１つの具体的な実現形態によれば、前記移動運搬装置は、現在のタスクにおいて運搬される物品のルート情報を取得し、現在のタスクにおいて運搬される物品のルート情報に基づいて現在のタスクに対応する移送装置を確定する。
【００４１】
本開示の実施例の１つの具体的な実現形態によれば、前記移動運搬装置に、前記受取装置の高さを調節可能な第１の高さ調節装置を設ける。
【００４２】
本開示の実施例の１つの具体的な実現形態によれば、現在のタスクに対応する移送装置の受入端の高さを取得し、前記受取装置を第１の所定高さに上昇させるように前記第１の高さ調節装置を制御し、前記第１の所定高さは、現在のタスクに対応する移送装置の受入端の高さに合致する。
【００４３】
本開示の実施例の１つの具体的な実現形態によれば、移送装置に、前記受入端の高さを調節可能な第２の高さ調節装置を設ける。
【００４４】
本開示の実施例の１つの具体的な実現形態によれば、現在のタスクに対応する移動運搬装置の受取装置の高さを取得し、前記受入端を第２の所定高さに調整するように前記第２の高さ調節装置を制御し、前記第２の所定高さは、現在のタスクに対応する移動運搬装置の受取装置の高さに合致する。
【００４５】
本開示の実施例の１つの具体的な実現形態によれば、前記方法は、
スケジューリングサーバを設け、前記スケジューリングサーバを前記移動運搬装置および前記移送装置―のうちの少なくとも１つに通信接続することを更に含むことを特徴とする。
【００４６】
本開示の実施例の１つの具体的な実現形態によれば、前記スケジューリングサーバは、前記移動運搬装置の電力量情報を取得することができ、
前記移動運搬装置の電力残量が所定の条件を満たす場合、前記スケジューリングサーバは、所定の領域に移動して充電するように前記移動運搬装置を制御する。
【００４７】
本開示の実施例の１つの具体的な実現形態によれば、前記移動運搬装置は、組合せパターンを識別することによりナビゲーションを行う。
【発明の効果】
【００４８】
本開示の物品仕分け方法は、仕分け領域を論理区画に分けることにより、移動運搬装置の運動距離を短縮し、エネルギー消費を低減することができる。移動運搬装置と移送装置とを通信接続することで、前記移送装置が前記受入端によって現在のタスクに対応する移動運搬装置で搬送されてきた仕分け待ちの物品を自動的に受け入れることを確保し、荷物を受入端へ搬送するときに、高さを自動的に調整することができ、物品搬送の自動化程度を確保し、物品運搬の効率を向上させる。
【図面の簡単な説明】
【００４９】
【図１】仕分け領域の模式図である。
【図２】本開示の実施例の仕分け領域の模式図である。
【図３】本開示の実施例の仕分け領域の模式図である。
【図４】本開示の実施例の仕分け領域のレイアウトの模式図である。
【図５】本開示の実施例の鋸歯状構造の縁部を有する仕分け領域のレイアウトの模式図である。
【図６】本開示の実施例の仕分けシステムの模式図である。
【図７】本開示の実施例に係る物品搬送システムの模式図である。
【図８】本開示の実施例に係る移送装置の模式図である。
【図９】本開示の実施例に係る移動運搬装置の構造模式図である。
【図１０】本開示の実施例に係る物品搬送方法のフローチャートである。
【発明を実施するための形態】
【００５０】
当業者が本開示をより良く理解できるように、以下、図面および具体的な実施形態を参照しながら、本開示を更に詳細に説明する。
【００５１】
床置き式（非鋼製プラットフォーム構造）の小包仕分けロボットシステムは、小包仕分けロボットシステムにおける特殊の形式であり、その特徴は、積み上げエリアが矩形敷地の中央に位置し、１本の小包搬送ベルトで小包を積み上げエリアを囲むループまで次々と輸送し、各ルートにマッピングする小包仮置き容器が順次矩形敷地の周囲に並んでいることである。ロボットは、中央の積み上げエリアで手動の方式によって無端搬送ベルトから小包を取得してから、小包を敷地の縁部の小包仮置き容器に投入する。
【００５２】
なお、明確に説明するために、明細書の以下の部分では、物品の代わりに小包で本開示を説明するが、本開示の内容は様々な物品を仕分けするために使用でき、小包に限定されないことを理解すべきである。同様に、以下では、小包仮置き容器でドロップエリアを説明するが、仕切り口構造の鋼製プラットフォームにとって、ドロップエリアに設けられたのは仕切り口であってもよく、または、ドロップエリアは、仕分け敷地で描かれたマーク位置のみであってもよい。それと同時に、本開示は鋼製プラットフォーム構造にも使用できる。
【００５３】
床置き式の小包仕分けロボットシステムの敷地をレイアウトすることにより、移動運搬装置の運動距離を短縮し、システム効率を最適化することができる。
【００５４】
図１は、仕分け敷地の模式図である。図１の（ａ）および図１の（ｂ）に示すように、仕分け領域１０の中央に無端搬送ベルトを備える取込エリア３０が設けられ、操作員が搬送ベルト上の小包を取り出し、移動運搬装置（図示せず）に置いて運搬することを容易にするように、小包が無端搬送ベルトに置かれて搬送ベルトとともに回動する。小包仮置き容器は、敷地を囲む位置３０に置かれ、移動運搬装置は、図における４０に示す領域において移動する。これにより分かるように、各供給端から各小包仮置き容器までの距離は異なり、例えば、仕分けロボットの供給端から出発して小包仮置き容器に到達する経路を投入経路として定義することができる。例えば、仕分けロボットが模式図の左側の供給端において小包を受け入れ、模式図の左側の小包仮置き容器に小包を投入しようとする場合、投入距離が最も短い。逆に、仕分けロボットが模式図の左側の供給端から小包を受け入れるが、模式図の右側の小包仮置き容器に小包を投入しようとする場合、敷地を半周まわりして投入する必要があり、この場合、投入距離が最も長い。
【００５５】
本開示の一態様は、小包仕分け方法を提供する。図２に示すように、該方法は、仕分け領域１０を、少なくとも、第１のドロップエリアを含み、第１の取込エリア２１に近い第１の論理区画Ａと、第２のドロップエリアを含み、第２の取込エリア２２に近い第２の論理区画Ｂとに分けることと、前記第１の論理区画Ａに位置する移動運搬装置は、前記第１の取込エリア２１から小包を取得すると、前記第１の論理区画Ａにおいて前記第１のドロップエリアまで移動（図における左側の黒色の矢印に示す方向に従う）し、前記第１のドロップエリアに小包を投入することと、前記第２の論理区画Ｂに位置する移動運搬装置は、前記第２の取込エリア２２から小包を取得すると、前記第２の論理区画Ｂにおいて前記第２のドロップエリアまで移動（図における右側の矢印に示す方向に従う）し、前記第２のドロップエリアに小包を投入することとを含む。本開示の方法により、取込エリアに位置する小包を距離の近いドロップエリアに投入することができ、移動運搬装置の運動距離を短縮し、仕分け効率を向上させる。
【００５６】
なお、論理区画の数は、必要に応じて分けることができ、２つまたは複数に分けられてもよい。例えば、各論理区画は、一部が重なってもよい。好ましくは、各論理区画は全く重なるではない。上記各論理区画は、特定の取込エリアに対応してもよく、例えば、ある論理区画の小包仮置き容器は、指定された複数の供給端の小包のみを受け入れるようにしてもよい。例えば、１つの供給端は、複数の論理区画に対応してもよい。移動運搬装置の移動経路を１つの論理区画内に制限することにより、移動運搬装置が移動中に複数の論理区画を跨ることを回避することができる。
【００５７】
また、仕分け敷地が複数の論理区画に分けられると、各論理区画は、いずれも対応する小包仮置き容器を有する。例えば、図２に示すように、２つの論理区画に分けられ、Ａエリアは、番号Ａ１〜Ａ２０の小包仮置き容器を備え、Ｂエリアは、番号Ｂ１〜Ｂ２０の小包仮置き容器を備える。容器に対応する経路は、地図において鏡像配列となり、複数の論理区画において多重化され、すなわち、それぞれの論理区画は、いずれも全てのルートを含む。すなわち、Ａ１〜Ａ２０およびＢ１〜Ｂ２０は、いずれも全てのルートを有する小包である。それぞれの論理区画に全てのルートを有する小包仮置き装置を設ける際に、いずれかの論理区画において全ての経路への投入を行うことができる。実際の操作において、各論理区画内のいずれにも全てのルートの小包仮置き容器が含まれるため、操作員は、例えば、小包搬送ベルトが小包を運んで回転している時に、コンベヤベルト上の小包を自由にピックアップし、小包を特定のルートを有する仕分けロボットに置くことができ、特定の小包をピックアップする際に他の位置に移動する必要がなく、操作員が操作しやすくなる。
【００５８】
具体的には、一実施例において、該方法は、取込エリア２０を前記仕分け領域１０の中央に設け、ドロップエリア３０を前記仕分け領域１０の周辺に設けることを更に含む。ここで、前記取込エリア２０は無端搬送ベルトである。
【００５９】
一実施例において、前記第１の論理区画Ａは、前記第１の取込エリア２１と同じ側に位置する領域であり、且つ、前記第２の論理区画Ｂは、前記第２の取込エリア２２と同じ側に位置する領域である。論理区画をある取込エリア位置と同じ側（例えば、第１の論理区画はいずれもコンベヤベルトの左側に位置する）に位置させることにより、移動運搬装置の運動経路を最も短くさせ、仕分け効率を向上させることができる。
【００６０】
論理区画がルートを多重化する場合、配設する必要のある容器数は倍増する。そのため、仕分け敷地の周長が全ての多重化された容器を収容するのに不十分でない場合、図３に示すように、論理区画を縮小することができ、全てのルートを収容する必要がない。具体的には、一実施例において、第１のドロップエリア２１は、一部のルート（Ａ１〜Ａ１２）に関わる複数の小包仮置き装置のみを備え、および／または、第２のドロップエリアは、一部のルート（Ｂ１〜Ｂ２）に関わる複数の小包仮置き装置のみを備える。論理区画に加え、共通エリアＣを更に含んでもよく、残りのルートに関わる小包仮置き容器が共通エリアＣに設けられてもよい。それにより、仕分け敷地が不足する場合、仕分け敷地を論理区画および共通エリアに分けることにより、移動運搬装置の運搬経路を短縮し、仕分け効率を向上させることができる。
【００６１】
具体的には、仕分け領域１０を、少なくとも、第１の取込エリア２１に近い第１の論理区画Ａと、第２の取込エリア２２に近い第２の論理区画Ｂとに分けるステップは、前記第１の論理区画Ａおよび第２の論理区画Ｂに加え、共通エリアを設け、前記共通エリアＣに、残りのルートに関わる複数の小包仮置き装置を設けることを更に含んでもよい。上述したように、該方法は、仕分け敷地が不足する場合、仕分け敷地を論理区画および共通エリアに分けることにより、移動運搬装置の運搬経路を短縮し、仕分け効率を向上させることができる。
【００６２】
本開示の別の態様は、仕分け領域のレイアウトを提供する。図４に示すように、該仕分け領域１０のレイアウトは、中央に位置し、第１の取込エリア２１および第２の取込エリア２２を含む取込エリア２０および周辺に位置するドロップエリア３０を含む。前記仕分け領域１０は、前記第１の取込エリア２１に近い箇所に第１の論理区画Ａを含み、前記第２の取込エリア２２に近い箇所に第２の論理区画Ｂを含む。前記ドロップエリア３０は、前記第１の論理区画Ａ内に位置し、複数のルートの小包を受け入れるために用いられる第１のドロップエリアと、前記第２の論理区画Ｂ内に位置し、複数のルートの小包を受け入れるために用いられる第２のドロップエリアとを含む。本開示の仕分け領域のレイアウトは、仕分け領域を少なくとも２つの論理区画に分けることにより、仕分けロボットは、取込エリアで小包を受け入れた後に、取込エリアに対応する論理区画のみにおいて移動し、小包を該論理区画内のドロップエリアに投入することができ、小包の運搬経路を短縮し、仕分け効率を向上させる。
【００６３】
一実施例において、前記第１のドロップエリアおよび前記第２のドロップエリアは、それぞれ全てのルート（すなわち、Ａ１〜Ａ２０およびＢ１〜Ｂ２０はいずれも全てのルートに関わる小包である）に関わる小包を受け入れるために用いられる。すなわち、それぞれの論理区画において、いずれも取込エリアからの全ての小包を受け入れることができ、移動運搬装置は、小包を受け入れた後に、小包を対応するルートに関わる小包仮置き容器に投入することができる。例えば、取込エリアが仕分け領域の中央に位置し、回転搬送ベルトである場合、取込エリアの操作員は、他の位置に移動しなくても、全ての小包を移動運搬装置に置くことができる。
【００６４】
以上に示すように、一実施例において、該仕分け領域は、前記第１の論理区画Ａおよび前記第２の論理区画Ｂに加え、共通エリアＣを更に含み、前記共通エリアは、第３のドロップエリアを含む。ここで、前記第１のドロップエリアおよび前記第２のドロップエリアは、一部のルートに関わる小包を受け入れるためにのみ用いられ、前記第３のドロップエリアは、残りのルートの小包を受け入れるために用いられる。小包のルートが非常に多い場合、論理区画ごとに全てのルートの小包仮置き装置を置くと、小包仮置き容器の需要量が大幅に増加し、限られた仕分け敷地においてこれらの小包仮置き容器を収容できなくなることが多い。このような場合、論理区画内にいくつかのルートに関わる小包仮置き容器を設け、論理区画内にない他のルートの小包仮置き装置を共通エリアに設けることができ、操作員は、これらの論理区画にないルートの小包を共通エリアに設けられた小包仮置き容器に置くことができる。
【００６５】
該実施例において、小包の量の大きいルートを論理区画に設けることができ、これにより、移動運搬装置は、論理区画において小包の投入を行うことができ、小包仮置き容器は、仕分け領域の多すぎるスペースを多く占有しない状況で、移動運搬装置が同じ数の小包を運搬する場合に走行する総経路を著しく短縮することができる。
【００６６】
図５に示すように、一実施例において、前記ドロップエリア３０の縁部は、仕分け領域１０の中央側に向かって凹む構造を備える。例えば、仕分け領域１０の面積が限られている場合、ドロップエリア３０の縁部を内側に凹む配列にすることにより、小包仮置き容器の数を多くすることができる。例えば、具体的には、前記ドロップエリアの縁部は図５に示す鋸歯状構造であってもよく、すなわち、例えば、小包仮置き容器は、内側に凹む鋸歯状配列に構成される。
【００６７】
本開示の更なる態様は、仕分け領域において小包を仕分けするための小包仕分けシステムを提供する。該仕分けシステムは、複数の移動運搬装置４０を備え、前記仕分け領域１０は、少なくとも第１の取込エリア２１および第２の取込エリア２２を含む取込エリア２０と、ドロップエリア３０とを含み、前記仕分け領域１０は、前記第１の取込エリア２１に近い箇所に第１の論理区画Ａを含み、前記第２の取込エリア２２に近い箇所に第２の論理区画Ｂを含み、前記ドロップエリア３０は、前記第１の論理区画Ａに位置する第１のドロップエリアと、前記第２の論理区画Ａに位置する第２のドロップエリアとを含み、前記第１の論理区画Ａに位置する移動運搬装置４０は、前記第１の取込エリア２１から小包を取得すると、前記第１の論理区画Ａに沿って前記第１のドロップエリアまで移動し、前記第１のドロップエリアへの小包投入を行い、前記第２の論理区画Ｂに位置する移動運搬装置４０は、前記第２の取込エリア２２から小包を取得すると、前記第２の論理区画Ｂに沿って前記第２のドロップエリアまで移動し、前記第２のドロップエリアへの小包投入を行う。本開示の小包仕分けシステムは、移動運搬装置４０が取込エリアにおいて小包を取得すると、該取込エリアに近い論理区画へ小包を投入することにより、移動運搬装置が小包を該論理区画外の対応する小包仮置き容器に投入することを回避し、移動運搬装置の運搬経路を短縮し、移動運搬装置のエネルギー消費を低減する。
【００６８】
一実施例において、前記第１のドロップエリアおよび／または前記第２のドロップエリアは、それぞれ全てのルートに関わる複数の小包仮置き装置を備える。各ドロップエリアに、全てのルートに関わる小包仮置き容器が設けられたため、ある論理区画内の移動運搬装置４０が取込エリアから小包を受け入れた後に、該論理区画のみで全てのルートの小包投入を行うことができ、投入経路を効果的に短縮する。
【００６９】
仕分け領域の収容量が限られ、且つ小包のルートが多い場合、各論理区画に全てのルートに関わる小包仮置き容器が設けられると、仕分け敷地内の小包の総個数が大幅に多くなる。このような場合、各論理区画内に複数のルートに関わる小包仮置き容器のみを設けてもよい。例えば、該仕分け領域は、論理区画に加え、共通エリアを含んでもよく、該共通エリアは、残りのルートに関わる複数の小包仮置き装置を備えてもよい。更に、論理区画内のルートは小包量が大きいルートであってもよく、移動運搬装置がこのような小包を運搬する際に、論理区画内のみにおいて行うことができ、小包投入の総経路を短縮する。
【００７０】
上述したように、一実施例において、前記取込エリア２０は、前記仕分け領域に位置する無端搬送ベルトであり、前記ドロップエリア３０は、前記仕分け領域１０の周辺に位置する。例えば、前記第１の論理区画Ａは、前記第１の取込エリア２１と同じ側に位置し、前記第２の論理区画Ｂは、前記第２の取込エリア２２と同じ側に位置する。
【００７１】
上述したように、仕分け敷地内小包の配置数を増加するために、一実施例において、例えば、前記ドロップエリア３０の縁部は、仕分け領域１０の中央に凹んで配列された構造である。例えば、小包仮置き容器はドロップエリア３０の縁部に設けられ、且つ小包仮置き容器は仕分け敷地の中心方向へ凹むレイアウトである。更に、小包仮置き装置は鋸歯状レイアウトに構成されてもよい。
【００７２】
本開示の更なる態様は、小包仕分けシステムの経路最適化方法を提供する。該方法は、投入経路の短い容器を投入確率の大きいルートにマッピングすることにより、移動運搬装置の総経路損失を最小にする。つまり、移動運搬装置ができるだけ投入経路の短い経路を選択して小包を投入するようにし、小包投入の総経路を短縮する。
【００７３】
一実施例において、前記使投入距離の短い容器を投入確率の大きいルートにマッピングすることにより、移動運搬装置の総投入経路を最小にすることは、以下のように計算される。
敷地において、Ｎ個のルートおよびＮ個の小包仮置き容器が存在し、且つ、ｉ個目の小包仮置き容器に対応する一回の往復投入経路の距離がＳｉであり、ｊ個目のルートの毎回の投入での選択確率がＰｊであり、且つ、
0006780130.tif 000006
であると仮定し、各確率が式１の関係を満たす場合、ルートｊと容器ｉとのマッピング
0006780130.tif 000007
において、式２のように最適化して解くべきである。
【数３】
0006780130.tif 000008
…（式１）
【数４】
0006780130.tif 000009
…（式２）
【００７４】
すなわち、ルートと容器との最適なマッピングは、全ての経路の投入確率に対応する容器の投入距離を乗じた積の期待の和が最も小さくなることを満たすべきである。つまり、投入距離の短い容器が投入確率のより大きいルートにマッピングされるべきである。
【００７５】
このように容器とルートとをマッピングすることで、同じ個数の小包を投入する際にロボットが行走する必要のある経路を大幅に短縮し、更に、システム全体の仕分け効率を向上させることができる。
【００７６】
本開示の実施例は、床置き式の小包仕分けロボットシステムに基づき、システムの小包仮置き容器のレイアウトおよび投入ルートとのマッピング関係を建設的に最適化することにより、小包仕分けロボットシステムの仕分け効率を向上させ、同等の効率要求でのシステムコストを低減することができる。
【００７７】
図７は、本開示の実施例に係る物品搬送システムであり、該物品搬送装置は、移動運搬装置Ａ１および移送装置Ａ２を含む。
【００７８】
移動運搬装置Ａ１については、前記移動運搬装置Ａ１に、１つまたは複数の仕分け待ちの物品を受け取り可能な受取装置が設けられる。
【００７９】
受取装置が１つまたは複数の仕分け待ちの物品を受け取ることができ、該仕分け待ちの物品は、小包物品であってもよく、他の運搬待ちの物品であってもよい。受取装置は、一般的な収容構造を有する装置であり、移動運搬装置が物品の送り出し端（例えば物品を送り出す供給端）に到達した後に、手動の方式で物品を受取装置に置いてもよく、供給端の自動積載装置（例えば、ロボットハンド）によって仕分け待ちの物品を自動的に置いてもよい。
【００８０】
運搬タスクによって、受取装置に１つまたは複数の仕分け待ちの物品を受け入れ可能であり、該１つまたは複数の仕分け待ちの物品の目的地は同じであってもよく、異なってもよい。運搬の目的地が同じである場合、載置装置は、物品を一括または分割して物品の受入端（例えば、物品コンベヤベルト、ローラーコンベヤ等）に輸送することができる。運搬の目的地が異なる場合、載置装置は、異なる目的地を代表する物品の受入端に、対応する物品を解放することができる。このように、受取装置のスペースを十分に利用し、移動運搬装置Ａ１の効率を向上させることができる。具体的には、該高さに自動的に適応する移動運搬装置Ａ１は、小包運搬ロボットであってもよく、同じまたは類似する機能を実行する他の装置であってもよい。
【００８１】
好ましくは、載置装置が物品を受け入れると、移動運搬装置Ａ１は、仕分け待ちの物品の運搬目的地（例えば、北京市海淀区）と、運搬物品のタイプ（例えば、図書類または壊れやすいもの等）とを含む仕分け待ちの物品の物品情報を知ることができる。物品情報を知ると、移動運搬装置Ａ１は、サーバに照会することで該運搬される物品に対応する移送装置（例えば、コンベヤベルト、搬送用エレベータ、ローラーコンベヤ等）の情報を取得することができ、該移送装置の情報を照会することにより、移動運搬装置Ａ１に対応する移送装置の受入端Ａ２１の高さを知ることができる。一方、移動運搬装置Ａ１に対応する移送装置の受入端Ａ２１の高さは、サーバにより配信されてもよく、他方、移動運搬装置Ａ１の内部に高さデータベースが存在し、移動運搬装置Ａ１は、該高さデータベースを照会することで高さ情報を知ってもよい。
【００８２】
前記移動運搬装置Ａ１が前記移送装置に接近すると、移動運搬装置Ａ１における高さ調節装置は、前記載置装置の高さを前記受入端Ａ２１に対応する高さに調節する。高さ調節装置は、一般的な油圧上昇装置であってもよく、一般的なスタッド上昇装置であってもよく、他の一般的な升高装置であってもよく、ここでは、高さ調節装置の構造を限定しない。移送装置Ａ２が前記移動運搬装置Ａ１に通信接続され、移送装置Ａ２と移動運搬装置Ａ１との間は、直接に本分野の一般的な有線または無線（ＷＩＦＩ、ブルートゥース（登録商標）、赤外線、無線周波数等）の方式で接続されてもよく、図７におけるサーバＡ３に接続することで間接的な通信接続関係を確立してもよい。
【００８３】
移送装置Ａ２は、移動運搬装置Ａ１によって運搬される物品Ａ４を受け入れ可能な受入端Ａ２１を有し、移送装置における搬送装置（例えば、コンベヤベルト）により、物品Ａ４を対応する受入容器Ａ５（例えば、ローラーコンベヤ、袋等）に運搬する。移送装置Ａ２は、仕分け待ちの物品を受け入れる受入端Ａ２１を有し、前記移送装置Ａ２は、前記受入端Ａ２１により、現在のタスクに対応する移動運搬装置Ａ１によって搬送される仕分け待ちの物品を自動的に受け入れ、受け入れられた前記仕分け待ちの物品を目的地まで輸送する。
【００８４】
仕分け待ちの物品の具体的な運搬目的地を確定できるように、仕分け待ちの物品に、一般的に、ルート情報を記憶するための運搬タグが設けられ、該運搬タグは、二次元コード、ＲＦＩＤタグ等であってもよい。仕分け待ちの物品のルート情報に、少なくとも該物品の運搬目的地の情報（例えば、広州、上海、瀋陽等）が含まれ、もちろん、他の情報が含まれてもよい。本開示の実施例の１つの具体的な実現形態によれば、前記仕分け待ちの物品はルート情報を有し、前記移動運搬装置Ａ１は仕分け待ちの物品のルート情報を取得することができる。
【００８５】
仕分け待ちの荷物のルート情報を迅速に識別できるように、具体的には、供給端は、仕分け待ちの物品における運搬タグを識別するためのルート情報取得装置を備えてもよい。該ルート情報取得装置は、仕分け待ちの荷物における二次元コード等のタグ情報を取得し、更に、仕分け待ちの物品のルート情報を取得する１つのカメラであってもよい。これに加え、該ルート情報取得装置は、仕分け待ちの荷物におけるＲＦＩＤタグ情報を読み取り、更に、仕分け待ちの物品のルート情報を取得する１つのＲＦＩＤカードリーダであってもよい。移動運搬装置Ａ１は、サーバに照会することにより、ルート情報取得装置によって取得された仕分け待ちの物品のルート情報を取得してもよく、または、ルート情報取得装置を移動運搬装置Ａ１に集積して更に該関連情報を取得してもよい。
【００８６】
本開示の実施例の１つの具体的な実現形態によれば、前記移送装置Ａ２は、前記仕分け待ちの物品のルート情報にマッチングするＩＤタグを有する。図８に示すように、移送装置は、複数のコンベヤベルトであり、各コンベヤベルトは、荷物を一定の高さまで上昇した後に、異なるルートの受入容器に搬送する。もちろん、図８における上昇コンベヤベルトに加え、コンベヤベルトは、平面コンベヤベルトであってもよく、低いところに荷物を搬送するコンベヤベルトであってもよい。各コンベヤベルトの底部に、いずれも１つの受入端があり、該受入端の高さは同じであってもよく、異なってもよい。異なる番号のコンベヤベルトの受入端の高さの値は、いずれもサーバに記憶される。図８に示す場合に加え、移送装置は、一定の高さを有する物品受入装置（例えば、ローラーコンベヤ）であってもよく、この場合、物品受入装置の縁部はその受入端を構成する。
【００８７】
一般的には、サーバは、タスクの形式で移動運搬装置Ａ１を呼び出し、本開示の実施例の１つの具体的な実現形態によれば、前記移動運搬装置Ａ１は、現在のタスクにおいて運搬される物品のルート情報を取得し、現在のタスクにおいて運搬される物品のルート情報に基づいて現在のタスクに対応する移送装置Ａ２を確定する。
【００８８】
上記実施形態に記載のサーバは、スケジューリングサーバであってもよく、他のタイプのサーバであってもよい。本開示の実施例の１つの具体的な実現形態によれば、前記通信装置３は、更に、スケジューリングサーバに通信接続され、前記通信装置３は、前記スケジューリングサーバにより前記移送装置の情報を取得する。
【００８９】
図９は、本開示の実施例に係る移動運搬装置の構造模式図であり、該移動運搬装置は、受取装置Ａ１１、第１の高さ調節装置Ａ１４および通信装置Ａ１３を備えてもよい。受取装置Ａ１１は、１つまたは複数の仕分け待ちの物品を受け入れることができ、通信装置Ａ１３は、サーバまたは移送装置Ａ２に通信接続できる。本開示の実施例の１つの具体的な実現形態によれば、前記移動運搬装置Ａ１に、前記受取装置の高さを調節可能な第１の高さ調節装置Ａ１４が設けられる。
【００９０】
本開示の実施例の１つの具体的な実現形態によれば、前記移動運搬装置Ａ１は、現在のタスクに対応する移送装置Ａ２の受入端Ａ２１の高さを取得し、前記受取装置を第１の所定高さに上昇させるように前記第１の高さ調節装置を制御し、前記第１の所定高さは、現在のタスクに対応する移送装置Ａ２の受入端Ａ２１の高さに合致する。
【００９１】
本開示の実施例の１つの具体的な実現形態によれば、前記移送装置Ａ２は、前記受入端Ａ２１の高さを調節可能な第２の高さ調節装置を有する。移動運搬装置Ａ１および移送装置Ａ２の自体の高さをそれぞれ調節することにより、物品を運搬しているときに、高さに合致する範囲はより広くなる。
【００９２】
本開示の実施例の１つの具体的な実現形態によれば、前記移送装置Ａ２は、現在のタスクに対応する移動運搬装置Ａ１の受取装置の高さを取得し、前記受入端Ａ２１を第２の所定高さに調整するように前記第２の高さ調節装置を制御し、前記第２の所定高さは、現在のタスクに対応する移動運搬装置Ａ１の受取装置の高さに合致する。
【００９３】
本開示の実施例の１つの具体的な実現形態によれば、前記システムは更にスケジューリングサーバを備える。
【００９４】
スケジューリングサーバは、前記移動運搬装置Ａ１および前記移送装置Ａ２のうちの少なくとも１つに通信接続され、該スケジューリングサーバは、図７に示すサーバの具体的な適用方式であってもよい。
【００９５】
移動運搬装置Ａ１の運転を容易にするために、好ましくは、移動運搬装置Ａ１の内部に電池が装着され、このように、移動運搬装置Ａ１は、自体のエネルギーによりタスクの運搬を行う。移動運搬装置Ａ１は、電池の電力残量をリアルタイムに監視し、移動運搬装置Ａ１の電力残量が一定の閾値に達すると、所定の領域に移動して自己充電するように移動運搬装置Ａ１を制御する。また、前記移動運搬装置Ａ１は、前記移動運搬装置Ａ１の電力量情報を取得することができ、前記移動運搬装置Ａ１の電力残量が所定の条件を満たすと、前記移動運搬装置Ａ１は、電力残量の情報をスケジューリングサーバに報告し、スケジューリングサーバは、現在の電力量およびスケジューリングタスク等の複数の要因に基づき、所定の場所に移動して充電するように移動運搬装置Ａ１を制御するか否かを総合的に考慮する。
【００９６】
前記移動運搬装置Ａ１の電力残量が所定の条件を満たすと、前記スケジューリングサーバは、所定の領域に移動して充電するように前記移動運搬装置Ａ１を制御する。
【００９７】
本開示の実施例の１つの具体的な実現形態によれば、前記移動運搬装置Ａ１は、組合せパターンを識別することによりナビゲーションを行い、該組合せパターンは、二次元コードであってもよく、他の組合せパターンからなる任意の組合せパターンであってもよい。物品運搬装置は、組合せパターンを識別することにより、現在の地理位置情報を判断する。
【００９８】
本開示の実施例の１つの具体的な実現形態によれば、前記受取装置Ａ１に物品搬送装置が設けられ、前記物品搬送装置は、前記受取装置Ａ１における物品を指定された目的地に搬送するために用いられる。前記物品搬送装置は、搬送ベルト、ドラム、クロスベルト、スラット板、または物品を移動可能な他の装置であってもよい。
【００９９】
上記装置の実施例に対応し、図１０に示すように、本開示の実施例は、更に以下のステップを含む物品搬送方法を提供する。
【０１００】
Ｓ４０１において、移動運搬装置における受取装置を利用して１つまたは複数の仕分け待ちの物品を受け取る。
【０１０１】
受取装置は、１つまたは複数の仕分け待ちの物品を受け取ることができ、該仕分け待ちの物品は、小包物品であってもよく、他の運搬待ちの物品であってもよい。受取装置は、一般的な収容構造を有する装置であり、移動運搬装置が物品の送り出し端（例えば、物品を送り出す供給端）に到達した後、手動の方式で物品を受取装置に置いてもよく、供給端の自動積載装置（例えば、ロボットハンド）によって仕分け待ちの物品を自動的に置いてもよい。
【０１０２】
運搬タスクによって、受取装置に１つまたは複数の仕分け待ちの物品が受け入れられ、該１つまたは複数の仕分け待ちの物品の目的地は同じであってもよく、異なってもよい。運搬の目的地が同じである場合、載置装置は、物品を一括または分割して物品の受入端（例えば、物品コンベヤベルト、ローラーコンベヤ等）に輸送することができる。運搬の目的地が異なる場合、載置装置は、異なる目的地を代表する物品の受入端に、対応する物品を解放することができる。このように、受取装置のスペースを十分に利用し、移動運搬装置Ａ１の効率を向上させることができる。具体的には、該高さに自動的に適応する移動運搬装置Ａ１は、小包運搬ロボットであってもよく、同じまたは類似する機能を実行する他の装置であってもよい。
【０１０３】
好ましくは、載置装置が物品を受け入れると、移動運搬装置Ａ１は、仕分け待ちの物品の運搬目的地（例えば、北京市海淀区）と、運搬物品のタイプ（例えば、図書類または壊れやすいもの等）とを含む仕分け待ちの物品の物品情報を知ることができる。物品情報を知ると、移動運搬装置Ａ１は、サーバに照会する方式で該運搬する物品に対応する移送装置（例えば、コンベヤベルト、搬送用エレベータ、ローラーコンベヤ等）の情報を取得することができ、該移送装置の情報を照会することにより、移動運搬装置Ａ１に対応する移送装置の受入端Ａ２１の高さを自然に照会することができる。一方、移動運搬装置Ａ１に対応する移送装置の受入端Ａ２１の高さは、サーバにより配信されてもよく、他方、移動運搬装置Ａ１の内部に高さデータベースが存在し、移動運搬装置Ａ１は、該高さデータベースを照会することで高さ情報を知ってもよい。
【０１０４】
前記移動運搬装置Ａ１が前記移送装置に接近すると、移動運搬装置Ａ１における高さ調節装置は、前記載置装置の高さを前記受入端Ａ２１に対応する高さに調節する。高さ調節装置は、一般的な油圧上昇装置であってもよく、一般的なスタッド上昇装置であってもよく、他の一般的な升高装置であってもよく、ここでは、高さ調節装置の構造を限定しない。
【０１０５】
Ｓ４０２において、前記移動運搬装置に通信接続される移送装置の受入端を利用して現在のタスクに対応する移動運搬装置で搬送されてきた仕分け待ちの物品を自動的に受け入れ、受け入れられた前記仕分け待ちの物品を目的地まで輸送する。
【０１０６】
移送装置Ａ２は、移動運搬装置１によって運搬される物品Ａ４を受け入れ可能な受入端Ａ２１を有し、移送装置における搬送装置（例えば、コンベヤベルト）により、物品Ａ４を対応する受入容器Ａ５（例えば、ローラーコンベヤ、袋等）に運搬する。移送装置Ａ２は、仕分け待ちの物品を受け入れる受入端Ａ２１を有し、前記移送装置Ａ２は、前記受入端Ａ２１により、現在のタスクに対応する移動運搬装置Ａ１によって搬送される仕分け待ちの物品を自動的に受け入れ、受け入れられた前記仕分け待ちの物品を目的地まで輸送する。
【０１０７】
本開示の実施例の１つの具体的な実現形態によれば、前記仕分け待ちの物品はルート情報を有し、前記移動運搬装置Ａ１は、仕分け待ちの物品のルート情報を取得することができる。
【０１０８】
本開示の実施例の１つの具体的な実現形態によれば、前記移送装置Ａ２は、前記仕分け待ちの物品のルート情報にマッチングするＩＤタグを有する。
【０１０９】
本開示の実施例の１つの具体的な実現形態によれば、前記移動運搬装置Ａ１は、現在のタスクにおいて運搬される物品のルート情報を取得し、現在のタスクにおいて運搬される物品のルート情報に基づいて現在のタスクに対応する移送装置Ａ２を確定する。
【０１１０】
本開示の実施例の１つの具体的な実現形態によれば、前記移動運搬装置Ａ１に、前記受取装置の高さを調節可能な第１の高さ調節装置を設ける。
【０１１１】
本開示の実施例の１つの具体的な実現形態によれば、現在のタスクに対応する移送装置Ａ２の受入端Ａ２１の高さを取得し、前記受取装置を第１の所定高さに上昇させるように前記第１の高さ調節装置を制御し、前記第１の所定高さは、現在のタスクに対応する移送装置Ａ２の受入端Ａ２１の高さに合致する。
【０１１２】
本開示の実施例の１つの具体的な実現形態によれば、移送装置Ａ２に、前記受入端Ａ２１の高さを調節可能な第２の高さ調節装置を設ける。
【０１１３】
本開示の実施例の１つの具体的な実現形態によれば、現在のタスクに対応する移動運搬装置Ａ１の受取装置の高さを取得し、前記受入端Ａ２１を第２の所定高さに調整するように前記第２の高さ調節装置を制御し、前記第２の所定高さは、現在のタスクに対応する移動運搬装置Ａ１の受取装置の高さに合致する。
【０１１４】
本開示の実施例の１つの具体的な実現形態によれば、前記方法は、
前記移動運搬装置Ａ１および前記移送装置Ａ２のうちの少なくとも１つに通信接続するようにスケジューリングサーバを設けることを更に含むことを特徴とする。
【０１１５】
本開示の実施例の１つの具体的な実現形態によれば、前記スケジューリングサーバは前記移動運搬装置Ａ１の電力量情報を取得することができ、
前記移動運搬装置Ａ１の電力残量が所定の条件を満たすと、前記スケジューリングサーバは、所定の領域に移動して充電するように前記移動運搬装置Ａ１を制御する。
【０１１６】
本開示の実施例の１つの具体的な実現形態によれば、前記移動運搬装置Ａ１は、組合せパターンを識別することによりナビゲーションを行う。
【０１１７】
本開示の実施例の１つの具体的な実現形態によれば、サーバが仕分け待ちの物品のルート情報を取得し、前記仕分け待ちの物品のルート情報に基づいて前記仕分け待ちの物品に対応する移送装置Ａ２を決定し、タスクの形式で移動運搬装置Ａ１を呼び出し、前記移動運搬装置Ａ１および前記移送装置Ａ２の位置に基づいて前記移動運搬装置Ａ１の走行すべき径路を計画し、前記移動運搬装置Ａ１が前記走行すべき径路を取得し、前記走行すべき径路にしたがって前記移送装置Ａ２まで走行する。
【０１１８】
本開示の実施例の１つの具体的な実現形態によれば、サーバがタスクの形式で移動運搬装置Ａ１を呼び出し、前記移動運搬装置Ａ１が仕分け待ちの物品のルート情報を取得し、前記仕分け待ちの物品のルート情報に基づいて前記仕分け待ちの物品に対応する移送装置Ａ２を決定し、前記移動運搬装置Ａ１および前記移送装置Ａ２の位置に基づいて前記移動運搬装置Ａ１の走行すべき径路を計画し、前記走行すべき径路にしたがって前記移送装置Ａ２まで走行する。
【０１１９】
ここで、明確にすると、本開示において、仕分け待ちの物品のルート情報を取得すること、前記仕分け待ちの物品に対応する移送装置Ａ２を決定すること、および走行すべき径路を計画することの実施態様は、サーバおよび移動運搬装置の実際の計算能力や、サーバと移動運搬装置との通信効率および操作便利性などによって決定することができる。
【０１２０】
上記方法の実施例における具体的な実施形態は、システムの実施例における内容に対応し、ここでは説明を省略する。
【０１２１】
以上、本開示の各実施例について既に説明したが、上記説明は例示的なものであり、網羅的なものではなく、開示された各実施例に限定されるものではない。説明した各実施例の範囲および精神から逸脱しない場合、当業者にとって、多くの修正や変更は明らかである。そのため、本開示の保護範囲は特許請求の範囲を基準とすべきである。
【図１】
0006780130.tif 000014
【図２】
0006780130.tif 000015
【図３】
0006780130.tif 000016
【図４】
0006780130.tif 000017
【図５】
0006780130.tif 000018
【図６】
0006780130.tif 000019
【図７】
0006780130.tif 000020
【図８】
0006780130.tif 000021
【図９】
0006780130.tif 000022
【図１０】
0006780130.tif 000023